(57)【要約】【課題】携帯情報端末への電力供給を携帯情報端末の状態に応じて制御する。【解決手段】電力供給装置２０は、携帯情報端末１０に電力を供給する電力供給回路２１０、携帯情報端末１０と通信する通信装置２０６、及び情報処理装置（プロセッサ２０１、主記憶装置２０３等）を備え、情報処理装置は、携帯情報端末１０に電力を供給するための条件である電力供給条件２４１を記憶する電力供給条件記憶部２２１、携帯情報端末１０から当該携帯情報端末１０の状態である端末状態を示す情報である端末状態情報１４４を受信する端末状態情報受信部２２５、端末状態情報２２５が電力供給条件２４１を満たしているか否かを判定する電力供給可否判定部２２６、及び電力供給条件２４１を満たしていると判定した場合に、携帯情報端末１０への電力供給を開始する電力供給制御部２２７を備える。【選択図】図３
2017028852.tif 000002
【特許請求の範囲】
【請求項１】
携帯情報端末に電力を供給する電力供給回路と、
携帯情報端末と通信する通信装置と、
情報処理装置と、
を備えて構成され、
前記情報処理装置は、
前記携帯情報端末に電力を供給するための条件である電力供給条件を記憶する電力供給条件記憶部と、
前記携帯情報端末から当該携帯情報端末の状態である端末状態を示す情報である端末状態情報を受信する端末状態情報受信部と、
前記端末状態情報が前記電力供給条件を満たしているか否かを判定する電力供給可否判定部と、
前記電力供給可否判定部が前記端末状態情報が前記電力供給条件を満たしていると判定した場合に、前記携帯情報端末への電力供給を開始する電力供給制御部と、
を備える
電力供給装置。
【請求項２】
請求項１に記載の電力供給装置であって、
前記情報処理装置は、前記携帯情報端末に前記電力供給条件を送信する電力供給条件送信部をさらに備える
電力供給装置。
【請求項３】
請求項１又は２に記載の電力供給装置であって、
前記端末状態情報は、前記携帯情報端末が備えるハードウェア又はソフトウェアによって実現される機能の設定状態を示す情報である
電力供給装置。
【請求項４】
請求項１又は２に記載の電力供給装置であって、
前記電力供給回路は、前記携帯情報端末に備えられている電池を充電するための電力を供給する回路である
電力供給装置。
【請求項５】
請求項１又は２に記載の電力供給装置であって、
前記情報処理装置は、
前記携帯情報端末から当該携帯情報端末のユーザに関する情報であるユーザ情報を受信するユーザ情報受信部と、
前記ユーザ情報に応じて前記携帯情報端末への電力供給方法を決定する電力供給方法決定部と、
をさらに備え、
前記電力供給制御部は、前記電力供給方法決定部が決定した電力供給方法で前記携帯情報端末への電力供給を行う
電力供給装置。
【請求項６】
請求項５に記載の電力供給装置であって、
前記電力供給回路は、前記携帯情報端末に備えられている電池を充電するための電力を供給する回路であり、
前記電力供給方法は、前記携帯情報端末に電力供給を行う際の充電電流の指定を含む
電力供給装置。
【請求項７】
請求項１又は２に記載の電力供給装置であって、
前記情報処理装置は、
前記携帯情報端末に配信する情報である配信情報を記憶する配信情報記憶部と、
前記電力供給可否判定部が前記端末状態情報が前記電力供給条件を満たしていると判定した場合に、前記携帯情報端末に前記配信情報を送信する配信情報送信部と
をさらに備える
電力供給装置。
【請求項８】
請求項７に記載の電力供給装置であって、
前記配信情報記憶部は、複数の前記配信情報を記憶し、
前記情報処理装置は、
前記携帯情報端末から当該携帯情報端末のユーザに関する情報であるユーザ情報を受信するユーザ情報受信部と、
前記ユーザ情報に応じて前記携帯情報端末に送信する前記配信情報を決定する配信情報決定部と、
をさらに備え、
前記配信情報送信部は、前記配信情報決定部が決定した前記配信情報を前記携帯情報端末に送信する
電力供給装置。
【請求項９】
請求項２に記載の携帯情報端末であって、
前記電力供給条件を受信する電力供給条件受信部と、
前記電力供給条件を示す情報を出力する出力装置と、
を備える
携帯情報端末。
【請求項１０】
請求項２に記載の携帯情報端末であって、
前記電力供給条件を受信する電力供給条件受信部と、
前記電力供給条件を満たすように自身の前記端末状態を設定する端末状態設定部と、
を備える
携帯情報端末。
【請求項１１】
携帯情報端末と、前記携帯情報端末に電力を供給する電力供給装置とを含んで構成される電力供給システムであって、
前記電力供給装置は、
携帯情報端末に電力を供給する電力供給回路と、
携帯情報端末と通信する通信装置と、
情報処理装置と、
を備えて構成され、
前記情報処理装置は、
前記携帯情報端末に電力を供給するための条件である電力供給条件を記憶する電力供給条件記憶部と、
前記携帯情報端末から当該携帯情報端末の状態である端末状態を示す情報である端末状態情報を受信する端末状態情報受信部と、
前記端末状態情報が前記電力供給条件を満たしているか否かを判定する電力供給可否判定部と、
前記電力供給可否判定部が前記端末状態情報が前記電力供給条件を満たしていると判定した場合に、前記携帯情報端末への電力供給を開始する電力供給制御部と、
前記携帯情報端末に前記電力供給条件を送信する電力供給条件送信部と、
を備え、
前記携帯情報端末は、
前記電力供給条件を受信する電力供給条件受信部と、
前記電力供給条件を示す情報を出力する出力装置と、
を備える
電力供給システム。
【請求項１２】
携帯情報端末と、前記携帯情報端末に電力を供給する電力供給装置とを含んで構成される電力供給システムであって、
前記電力供給装置は、
携帯情報端末に電力を供給する電力供給回路と、
携帯情報端末と通信する通信装置と、
情報処理装置と、
を備えて構成され、
前記情報処理装置は、
前記携帯情報端末に電力を供給するための条件である電力供給条件を記憶する電力供給条件記憶部と、
前記携帯情報端末から当該携帯情報端末の状態である端末状態を示す情報である端末状態情報を受信する端末状態情報受信部と、
前記端末状態情報が前記電力供給条件を満たしているか否かを判定する電力供給可否判定部と、
前記電力供給可否判定部が前記端末状態情報が前記電力供給条件を満たしていると判定した場合に、前記携帯情報端末への電力供給を開始する電力供給制御部と、
前記携帯情報端末に前記電力供給条件を送信する電力供給条件送信部と、
を備え、
前記携帯情報端末は、
前記電力供給条件を受信する電力供給条件受信部と、
前記電力供給条件を満たすように自身の前記端末状態を設定する端末状態設定部と、
を備える
電力供給システム。
【請求項１３】
請求項１１又は１２に記載の電力供給システムであって、
前記携帯情報端末から当該携帯情報端末のユーザに関する情報であるユーザ情報を受信するユーザ情報受信部と、
前記ユーザ情報に応じて前記携帯情報端末への電力供給方法を決定する電力供給方法決定部と、
をさらに備え、
前記電力供給制御部は、前記電力供給方法決定部が決定した電力供給方法で前記携帯情報端末への電力供給を行う
電力供給システム。
【請求項１４】
請求項１１又は１２に記載の電力供給システムであって、
前記携帯情報端末に配信する情報である配信情報を記憶する配信情報記憶部と、
前記電力供給可否判定部が前記端末状態情報が前記電力供給条件を満たしていると判定した場合に、前記携帯情報端末に前記配信情報を送信する配信情報送信部と、
をさらに備える
電力供給システム。
【発明の詳細な説明】
【技術分野】
【０００１】
本発明は、電力供給装置、携帯情報端末、及び電力供給システムに関する。
【背景技術】
【０００２】
特許文献１には、「画像処理装置（複合機）にログイン中のユーザの携帯端末（スマートフォン）が、画像処理装置に対して当該携帯端末の現在の使用状態を送信する。そして、受信した使用状態が所定の使用状態である場合に、当該画像処理装置の機能を実行してよいか否かを示す権限を画像処理装置で記憶しており、画像処理装置がユーザから機能の実行が指示された際に、当該ユーザの携帯端末の使用状態と当該権限とに応じて、当該機能を制限するか否かを決定する。」と記載されている。
【先行技術文献】
【特許文献】
【０００３】
【特許文献１】特開２０１５−３２９０８号公報
【発明の概要】
【発明が解決しようとする課題】
【０００４】
スマートフォンや携帯電話機等の携帯情報機器を利用するユーザの多くは電池残量の不安を抱えながらこれらの機器を利用している。とくに昨今のスマートデバイスは多機能化、高性能化により電力消費量が大きく、ユーザは重量物である予備バッテリを普段から持ち歩くなどして対応していることも少なくない。
【０００５】
一方で、昨今、店舗、映画館、コンサートホール、スタジアム、飛行機の機内、列車内、バスの車内等の公共の場所等で携帯情報端末を利用する際のマナーの遵守（音声出力オフ、許可されていない区域での撮影禁止、機内や列車内での無線装置の利用禁止等）が問題となっている。また店舗や公共施設等に設けられているコンセントを無断で利用する盗電も問題となっている。
【０００６】
特許文献１に記載の技術は、携帯端末のユーザによる画像処理装置（複合機）の誤操作を防ぐことを目的として構成されており、上記の課題について解決を図ろうとして構成されたものではない。また特許文献１に記載の技術は、画像処理装置（複合機）が、ユーザから機能の実行が指示された際、ユーザの携帯端末の使用状態と権限とに応じて機能を制限するか否かを決定するものであり、携帯端末への電力供給に関するものではない。
【０００７】
本発明は、上記の課題に鑑みてなされたもので、携帯情報端末への電力供給を携帯情報端末の状態に応じて制御することが可能な、電力供給装置、携帯情報端末、及び電力供給システムを提供することを主たる目的とする。
【課題を解決するための手段】
【０００８】
上記目的を達成するための本発明の一つは、電力供給装置であって、携帯情報端末に電力を供給する電力供給回路と、携帯情報端末と通信する通信装置と、情報処理装置と、を備えて構成され、前記情報処理装置は、前記携帯情報端末に電力を供給するための条件である電力供給条件を記憶する電力供給条件記憶部と、前記携帯情報端末から当該携帯情報端末の状態である端末状態を示す情報である端末状態情報を受信する端末状態情報受信部と、前記端末状態情報が前記電力供給条件を満たしているか否かを判定する電力供給可否判定部と、前記電力供給可否判定部が前記端末状態情報が前記電力供給条件を満たしていると判定した場合に、前記携帯情報端末への電力供給を開始する電力供給制御部と、を備
える。
【０００９】
その他、本願が開示する課題、及びその解決方法は、発明を実施するための形態の欄、及び図面により明らかにされる。
【発明の効果】
【００１０】
本発明によれば、携帯情報端末への電力供給を携帯情報端末の状態に応じて制御することができる。
【図面の簡単な説明】
【００１１】
【図１】電力供給システム１の概略的な構成を示す図である。
【図２】電力供給装置２０のハードウェア構成を示す図である。
【図３】実施例１の電力供給装置２０の機能を示す図である。
【図４】電力供給条件２４１の一例を示す図である。
【図５】配信情報２４２の一例を示す図である。
【図６】認証情報２４３の一例を示す図である。
【図７】携帯情報端末１０のハードウェア構成を示す図である。
【図８】実施例１の携帯情報端末１０の機能を示す図である。
【図９】実施例１の電力供給システム１において行われる処理を説明するフローチャートである。
【図１０】認証情報１４３の一例である。
【図１１】電力供給条件２４１の一例である。
【図１２】端末状態情報１４４の一例である。
【図１３】配信情報２４２の一例である。
【図１４】実施例２の携帯情報端末１０の機能を示す図である。
【図１５】実施例２の電力供給システム１において行われる処理を説明するフローチャートである。
【図１６】実施例３の電力供給装置２０の機能を示す図である。
【図１７】制御情報２４４の一例である。
【図１８】実施例３の携帯情報端末１０の機能を示す図である。
【図１９】ユーザ情報１４５の一例である。
【図２０】実施例３の電力供給システム１において行われる処理を説明するフローチャートである。
【発明を実施するための形態】
【００１２】
以下、実施形態について図面とともに説明する。尚、以下の説明において、同一又は類似の構成について同一の符号を付して重複した説明を省略することがある。
【実施例１】
【００１３】
図１に実施例１として示す電力供給システム１の概略的な構成を示している。同図に示すように、電力供給システム１は、ユーザが携帯して持ち歩く携帯情報端末１０と、公共の場所等に設置され、携帯情報端末１０に対して充電電流を供給（以下、電力供給とも称する。）する電力供給装置２０と、を含む。
【００１４】
携帯情報端末１０は、例えば、スマートフォンやスマートデバイス、携帯電話機等であるが、こうした機器と同等の情報処理機能及び通信機能を備えるものであれば携帯情報端末１０は他の種類の電子機器であってもよい。
【００１５】
電力供給装置２０は、例えば、店舗、映画館、コンサートホール、スタジアム、飛行機の機内、列車内、バスの車内等、携帯情報端末１０を携帯する者が多数存在もしくは通行
する公共の場所等に設置される。電力供給装置２０は、有料もしくは無料のサービスとして携帯情報端末１０に電力供給を行う。電力供給装置２０は、例えば、充電ステーション等の独立した装置として構成されたものであってもよいし、例えば、建物の壁面等に埋設されたコンセント等に組み込まれたものであってもよい。
【００１６】
電力供給装置２０は、有線方式又は無線方式の通信手段５１を介して携帯情報端末１０と通信することができる。電力供給装置２０が、通信手段５１を介して複数の携帯情報端末１０と同時に通信することができる構成としてもよい。電力供給装置２０は、有線方式又は無線方式の電力供給手段５２を介して携帯情報端末１０に電力を供給することができる。電力供給装置２０が、電力供給手段５２を介して複数の携帯情報端末１０に対して同時に電力を供給することができる構成としてもよい。
【００１７】
電力供給手段５２を通信手段５１として機能させてもよい。また電力供給手段５２と通信手段５１とを共通の媒体（ケーブルや無線装置）で構成し、携帯情報端末１０側の動作モード（例えば、充電モード、同期モード、通信モード）の切り替えによってケーブルの用途を随時切り替える構成としてもよい。
【００１８】
以下の説明において、電力供給装置２０に携帯情報端末１０が「接続」されているとは、電力供給装置２０と携帯情報端末１０とが、通信手段５１を介して通信可能な状態になっており、かつ、電力供給手段５２を介して電力供給装置２０から携帯情報端末１０に対して電力供給が可能な状態になっていることをいうものとする。
【００１９】
電力供給装置２０は、携帯情報端末１０に対して電力を供給するための条件である電力供給条件を記憶する。電力供給装置２０は、携帯情報端末１０から当該携帯情報端末１０の現在の状態（以下、端末状態と称する。）を示す情報（以下、端末状態情報と称する。）を取得し、取得した端末状態情報が上記電力供給条件を満たしているか否かを判定することにより、携帯情報端末１０に電力を供給するか否かを決定する。そして電力供給装置２０は、携帯情報端末１０に電力を供給すると決定すると、携帯情報端末１０への電力供給を開始する。
【００２０】
上記端末状態情報は、例えば、携帯情報端末１０が備えるハードウェアやソフトウェアによって実現される機能の設定情報であるが、必ずしもこれらの情報に限定されない。上記設定情報の具体例をあげると、例えば、携帯情報端末１０が備える音声（振動）出力装置（スピーカ、バイブレーション装置等）の出力の設定状態（マナーモード、機内モード等の設定状態）を示す情報、携帯情報端末１０が備える撮影装置（静止画／動画撮影装置）のオンオフ状態を示す情報、携帯情報端末１０が備える無線装置（音声通信装置、モバイルデータ通信装置、ＷｉＦｉ、ＦＭトランスミッタ、微弱無線（Ｂｌｕｅｔｏｏｔｈ（登録商標）等）、赤外線通信装置）のオンオフ状態を示す情報、携帯情報端末１０において動作するアプリケーションの動作状態（動作中／停止中）を示す情報、携帯情報端末１０が備える各種セキュリティ機能（公共モード等）の設定状態を示す情報、携帯情報端末１０が備えるディスプレイの輝度の設定状態を示す情報等がある。  
【００２１】
以上のように、電力供給装置２０は、携帯情報端末１０から取得した端末状態情報が電力供給条件を満たすか否かを判定し、端末状態情報が電力供給条件を満たす場合と判定した場合に携帯情報端末１０への電力供給を開始するので、携帯情報端末１０への電力供給を携帯情報端末１０の状態に応じて制御することができる。また携帯情報端末１０に対して条件付きで電力が提供されるようにすることができる。このため、例えば、携帯情報端末１０のユーザに対して、ユーザが所持する携帯情報端末１０の端末状態が電力供給条件を満たすように促すことができ、携帯情報端末１０を利用するユーザに対して、携帯情報端末１０が利用される環境において求められるマナーの遵守を促すことができる。
【００２２】
＜電力供給装置２０＞
図２に電力供給装置２０のハードウェア構成を示している。同図に示すように、電力供給装置２０は、プロセッサ２０１、主記憶装置２０２、補助記憶装置２０３、入力装置２０４、出力装置２０５、通信装置２０６、電源回路２０７、機器接続検知回路２０８、電力供給制御回路２０９、及び電力供給回路２１０を備える。
【００２３】
プロセッサ２０１は、例えば、ＣＰＵ（Central Processing Unit）やＭＰＵ（Micro Processing Unit）を用いて構成される。主記憶装置２０２は、プログラムやデータを記憶する装置であり、例えば、ＲＯＭ（Read Only Memory）、ＲＡＭ（Random Access Memory）、ＮＶＲＡＭ（Non Volatile RAM）等である。プロセッサ２０１及び主記憶装置２０２は情報処理装置を構成する。プロセッサ２０１が、主記憶装置２０２に格納されているプログラムを読み出して実行することにより、電力供給装置２０の様々な機能が実現される。補助記憶装置２０３は、例えば、ＳＳＤ（Solid State Drive）、ハードディスクドラ
イブ、光学式記憶装置、記録媒体の読取／書込装置等である。補助記憶装置２０４に格納されているプログラムやデータは主記憶装置２０２に随時ロードされる。
【００２４】
入力装置２０４は、ユーザから情報を取得するユーザインタフェースであり、例えば、タッチパネル、操作ボタン、キーボード、マウス等である。出力装置２０５は、ユーザに情報を提供するユーザインタフェースであり、例えば、液晶モニタ、ＬＣＤ（Liquid Crystal Display）、グラフィックカード、スピーカ等である。
【００２５】
通信装置２０６は、携帯情報端末１０との間での有線方式（ＵＳＢ（Universal Serial
Bus）等）又は無線方式（Ｂｌｕｅｔｏｏｔｈ(登録商標）、ＷｉＦｉ等））で通信を行
う。
【００２６】
電源回路２０７は、電力供給装置２０の各構成要素の駆動電力や携帯情報端末１０に供給する電力を生成する装置であり、例えば、商用電力を所定の直流電圧に変換するＡＣ／ＤＣコンバータやＤＣ／ＤＣコンバータを含む。機器接続検知回路２０８は、電力供給装置２１０に現在、携帯情報端末１０が接続されているか否かを判定し、その結果をプロセッサ２０１に通知する。上記判定は、例えば、後述する携帯情報端末１０の接続端子に印加されている電圧値を所定の閾値と比較することにより行われる。また上記判定は、例えば、通信手段５１を介して携帯情報端末１０と通信可能か否かを調べることにより行われる。電力供給制御回路２０９は、携帯情報端末１０への電力供給（電力供給のオンオフ、充電電流の大きさ等）を制御する。電力供給回路２１０は、電源回路２０７から供給される電力を携帯情報端末１０に供給する回路であり、電力供給が有線方式で行われる場合は、例えば、携帯情報端末１０の電力供給線の接続端子を、電力供給が無線方式（非接触給電方式）で行われる場合は、例えば、コイルやコンデンサを含む。
【００２７】
図３に電力供給装置２０の機能及び電力供給装置２０が記憶するデータを示している。同図に示すように、電力供給装置２０は、電力供給条件記憶部２２１、配信情報記憶部２２２、認証処理部２２３、電力供給条件送信部２２４、端末状態情報受信部２２５、電力供給可否判定部２２６、電力供給制御部２２７、及び配信情報送信部２２８の各機能を有する。これらの機能は、電力供給装置２０のプロセッサ２０１が、主記憶装置２０２に格納されているプログラムを読み出して実行することにより、もしくは、電力供給装置２０が備えるハードウェアによって実現される。また電力供給装置２０は、電力供給条件２４１、配信情報２４２、及び認証情報２４３をデータとして記憶する。
【００２８】
電力供給条件記憶部２２１は、携帯情報端末１０に電力供給を行うために携帯情報端末１０が満たすべき条件（以下、電力供給条件と称する。）を記憶する。電力供給条件記憶
部２２１は、例えば、入力装置２０４を介してユーザから電力供給条件の設定入力を受け付け、受け付けた電力供給条件を電力供給条件２４１として記憶する。
【００２９】
図４に電力供給条件２４１の一例を示す。同図に示すように、電力供給条件２４１は、条件項目４１１、許可条件４１２、及び指定有無４１３の各項目を含む１つ以上のレコードで構成される。同図に示す各レコードは夫々１つの電力供給条件に対応する。条件項目４１１には、例えば、電力供給条件の設定対象となるハードウェアやソフトウェアの設定項目を特定する情報が設定される。許可条件４１２には、当該条件項目４１１について電力供給を許可する条件（以下、許可条件と称する。）を示す情報が設定される。指定有無４１３には、当該条件項目４１１を電力供給条件として採用するか否かを示す情報が設定される。この指定有無４１３の内容は、例えば、電力供給装置２０を運用する者により設定され、電力供給装置２０が設置されている状況や環境等に応じて設定される。
【００３０】
図３に戻り、配信情報記憶部２２２は、携帯情報端末１０に配信する情報（以下、配信情報と称する。）を設定する。配信情報記憶部２２２は、例えば、入力装置２０４を介してユーザから配信情報の設定入力を受け付け、受け付けた配信情報を配信情報２４２として記憶する。
【００３１】
図５に配信情報２４２の一例を示す。同図に示すように、配信情報２４２は、配信情報ＩＤ５１１、配信情報種別５１２、及び配信内容５１３の各項目を含む１つ以上のレコードで構成される。同図に示す各レコードは夫々１つの配信情報に対応する。配信情報ＩＤ５１１には、各配信情報５１１を区別する識別子(以下、配信情報ＩＤと称する。）が設
定される。配信情報種別５１２には、配信情報２４２の種類を示す情報が設定される。配信内容５１３には、配信情報が設定される。配信内容５１３に設定される情報の具体例として、例えば、店舗の利用に関する情報（特典情報、クーポン等）、スタジアムで行われている試合や選手に関する情報、コンサートの出演者に関する情報、機内や列車内で提供されるサービスに関する情報等がある。配信内容５１３に設定される情報は必ずしも文字データに限られず、例えば、音声データ、画像データ、動画データ等、他の種類（形式）のデータであってもよい。
【００３２】
図３に戻り、認証処理部２２３は、通信手段５１を介して携帯情報端末１０から認証情報１４３を受信し、受信した認証情報１４３を認証情報２４３と照合することにより、携帯情報端末１０の認証を行う。尚、電力供給装置２０は必ずしも認証処理部２２３を備えていなくてもよい。
【００３３】
図６に認証情報２４３の一例を示す。同図に示すように、認証情報２４３は、端末ＩＤ６１１、端末機種６１２、ユーザＩＤ６１３、及びパスワード６１４の各項目を含む１つ以上のレコードで構成される。同図に示す各レコードは夫々１つの認証情報に対応する。端末ＩＤ６１１には、携帯情報端末１０の識別子（以下、端末ＩＤと称する。）が設定される。端末機種６１２には、携帯情報端末１０の機種を示す情報が設定される。ユーザＩＤ６１３には、携帯情報端末１０のユーザの識別子(以下、ユーザＩＤと称する。）が設
定される。パスワード６１４には、ユーザのパスワードが設定される。
【００３４】
図３に戻り、電力供給条件送信部２２４は、電力供給装置２０に接続している携帯情報端末１０に対して電力供給を行うに先立ち、記憶している電力供給条件２４１から電力供給条件（例えば、電力供給条件２４１の内容が図４の内容である場合、指定有無４１３に「指定」が設定されているもの）を取得し、取得した電力供給条件（電力供給条件２４１のうち少なくとも条件項目４１１の内容）を携帯情報端末１０に送信する。
【００３５】
端末状態情報受信部２２５は、携帯情報端末１０から送られてくる端末状態情報１４４
を受信する。尚、後述するように、携帯情報端末１０は、電力供給条件送信部２２４から受信した電力供給条件２４１の条件項目４１１に対応する端末状態情報１４４を電力供給装置２０に送信する。例えば、電力供給条件２４１の内容が図４の内容である場合、携帯情報端末１０は、条件項目４１１「着信音量」及び「システム音量」の現在の設定状態を端末状態情報１４４として送信し、これを端末状態情報受信部２２５が受信する。尚、端末状態情報受信部２２５が、携帯情報端末１０からリアルタイムに端末状態情報１４４を受信する構成としてもよい。
【００３６】
図３に戻り、電力供給可否判定部２２６は、端末状態情報受信部２２５が携帯情報端末１０から受信した端末状態情報１４４と電力供給条件２４１とを対照することにより、携帯情報端末１０に電力供給を行うか否かを判定する。例えば、電力供給条件２４１の内容が図４の内容である場合、電力供給可否判定部２２６は、携帯情報端末１０の「着信音量」と「システム音量」の現在の設定状態がいずれも「オフ」である場合に、携帯情報端末１０に電力供給を行うと判定し、それ以外は携帯情報端末１０に電力供給を行わないと判定する。尚、電力供給可否判定部２２６が、端末状態情報受信部２２５が携帯情報端末１０からリアルタイムに受信する端末状態情報１４４について、携帯情報端末１０に電力供給を行うか否かの判定をリアルタイムに行う構成としてもよい。
【００３７】
電力供給制御部２２７は、電力供給可否判定部２２６の判定結果に応じて、携帯情報端末１０への電力供給の制御（電力供給のオンオフ制御や電力供給量（例えば、充電電流）の制御）を行う。例えば、電力供給制御部２２７は、電力供給可否判定部２２６が携帯情報端末１０に対して電力供給を行うと判定すると、携帯情報端末１０への電力供給を開始する。また電力供給制御部２２７は、携帯情報端末１０への電力供給を行っているときに電力供給可否判定部２２６が携帯情報端末１０への電力供給を行わないと判定すると、携帯情報端末１０への電力供給を停止する。
【００３８】
配信情報送信部２２８は、電力供給可否判定部２２６の判定結果に応じて、携帯情報端末１０への情報配信を行う。例えば、配信情報送信部２２８は、電力供給可否判定部２２６が携帯情報端末１０に対して電力供給を行うと判定した場合に、配信情報２４２の配信内容５１３を携帯情報端末１０に送信する。尚、配信情報送信部２２８が、電力供給可否判定部２２６の判定結果とは無関係に情報配信を行う構成としてもよい。また携帯情報端末１０から受信する認証情報２４３から特定される端末ＩＤ６１１や端末機種６１２に応じて、配信する配信情報（配信内容５１３）を選択するようにしてもよい。
【００３９】
＜携帯情報端末１０＞
図７に携帯情報端末１０のハードウェア構成を示している。同図に示すように、携帯情報端末１０は、プロセッサ１０１、主記憶装置１０２、補助記憶装置１０３、入力装置１０４、出力装置１０５、通信装置１０６、充電回路１０７、及び電池１０８を備える。
【００４０】
プロセッサ１０１は、例えば、ＣＰＵやＭＰＵを用いて構成される。主記憶装置１０２は、プログラムやデータを記憶する装置であり、例えば、ＲＯＭ、ＲＡＭ、ＮＶＲＡＭ等である。プロセッサ１０１が、主記憶装置１０２に格納されているプログラムを読み出して実行することにより、携帯情報端末１０の様々な機能が実現される。補助記憶装置１０３は、例えば、各種半導体記憶装置、メモリーカード等である。補助記憶装置１０４に格納されているプログラムやデータは主記憶装置１０２に随時ロードされる。
【００４１】
入力装置１０４は、ユーザから情報を取得するユーザインタフェースであり、例えば、タッチパネルや操作ボタン等である。出力装置１０５は、ユーザに情報を提供するユーザインタフェースであり、例えば、ＬＣＤ（Liquid Crystal Display）、有機ＥＬディスプレイ、スピーカ、バイブレーション装置等である。通信装置１０６は、電力供給装置２０
との間での有線方式（ＵＳＢ等）又は無線方式（Ｂｌｕｅｔｏｏｔｈ(登録商標）、Ｗｉ
Ｆｉ等））の通信を実現する。充電回路１０７は、電力供給装置２０等の外部の装置から供給される電力を電池１０８に供給して電池の充電制御を行う。電池１０８は、携帯情報端末１０の各構成要素に駆動電力を供給する二次電池（リチウムイオン二次電池、リチウムイオンポリマー二次電池等）である。
【００４２】
図８に携帯情報端末１０の機能及び携帯情報端末１０が記憶するデータを示している。同図に示すように、携帯情報端末１０は、認証情報送信部１２１、電力供給条件受信部１２２、端末状態情報送信部１２３、充電制御部１２４、及び配信情報受信部１２５の各機能を有する。これらの機能は、携帯情報端末１０のプロセッサ１０１が、主記憶装置１０２に格納されているプログラムを読み出して実行することにより、もしくは、携帯情報端末１０が備えるハードウェアによって実現される。またこれらの機能を実現する上記プログラムは、例えば、クラウドシステム等からアプリケーションプログラムとしてダウンロードされて携帯情報端末１０に提供される。同図に示す機能は携帯情報端末１０の機能の一部に過ぎず、携帯情報端末１０は、携帯電話網や公衆電話網を通じた通話機能やアプリケーションプログラムによって実現される様々な機能を有するとしてもよい。携帯情報端末１０は、電力供給条件１４１、配信情報１４２、認証情報１４３、及び端末状態情報１４４をデータとして記憶する。
【００４３】
認証情報送信部１２１は、携帯情報端末１０が記憶している認証情報１４３を電力供給装置２０に送信する。
【００４４】
電力供給条件受信部１２２は、電力供給装置２０から送られてくる電力供給条件２４１を受信し、受信した電力供給条件２４１を電力供給条件１４１として記憶する。
【００４５】
端末状態情報送信部１２３は、電力供給条件受信部１２２が受信した電力供給条件１４１の条件項目に対応する現在の端末状態情報１４４を取得し、取得した端末状態情報１４４を電力供給装置２０に送信する。
【００４６】
充電制御部１２４は、充電電力を制御しつつ、電力供給装置２０から送られてくる電力に基づき電池１０８を充電する。
【００４７】
配信情報受信部１２５は、電力供給装置２０から送られてくる配信情報２４２を受信して配信情報１４２として記憶し、記憶している配信情報１４２を出力装置１０５に出力する。
【００４８】
＜処理説明＞
続いて、図９に示すフローチャートとともに、電力供給システム１において行われる処理について説明する。尚、同図に示すフローチャートは、例えば、携帯情報端末１０を携帯するユーザが電力供給装置２０（充電ステーション等）を利用して携帯情報端末１０の充電を行う場面を想定している。
【００４９】
電力供給装置２０は、携帯情報端末１０が当該電力供給装置２０に接続されたか否かをリアルタイムに監視している（Ｓ９１１）。携帯情報端末１０が接続されたことを検知すると（Ｓ９１１：ＹＥＳ）、電力供給装置２０は、携帯情報端末１０との間で通信を開始し、携帯情報端末１０から認証情報１４３を受信する（Ｓ９５１，Ｓ９１２）。
【００５０】
図１０に電力供給装置２０が携帯情報端末１０から受信する認証情報１４３の一例を示す。同図に示すように、認証情報１４３は、端末ＩＤ１０１１、端末機種１０１２、ユーザＩＤ１０１３、及びパスワード１０１４の各項目を含む。各項目の内容は、図６に示し
た認証情報２４３の同名の項目と同様であるので説明を省略する。
【００５１】
図９に戻り、続いて、電力供給装置２０は、受信した認証情報１４３を認証情報２４３と照合することによりユーザの認証を行う（Ｓ９１３）。認証に成功した場合（Ｓ９１３：ＹＥＳ）、処理はＳ９１４に進む。認証に失敗した場合（Ｓ９１３：ＮＯ）、処理はＳ９１１に戻る。このように電力供給装置２０は携帯情報端末１０に電力供給を行うに先立ちユーザの認証を行うので盗電を確実に防ぐことができる。
【００５２】
Ｓ９１４では、電力供給装置２０は、携帯情報端末１０に電力供給条件２４１を送信する。携帯情報端末１０は、電力供給装置２０から電力供給条件２４１を受信し、電力供給条件１４１として記憶する（Ｓ９５２）。続いて、携帯情報端末１０は、受信した電力供給条件１４１の条件項目１１１１の夫々について現在の自身の端末状態を示した端末状態情報１４４を生成し、生成した端末状態情報１４４を電力供給装置２０に送信する（Ｓ９５３）。尚、上記送信に先立ち、携帯情報端末１０が、ユーザに受信した電力供給条件２４１を満たすように当該携帯情報端末１０の設定を促すメッセージを出力装置１０５に出力する構成としてもよい（Ｓ９５２−１）。
【００５３】
図１２に端末状態情報１４４の一例を示す。同図に示すように、端末状態情報１４４には、電力供給条件１４１の条件項目１２１１の夫々について自身の現在の状態を示す情報（状態１２１２）が含まれている。
【００５４】
図９に戻り、続いて、電力供給装置２０は、携帯情報端末１０から端末状態情報１４４を受信すると（Ｓ９１５）、受信した端末状態情報１４４が電力供給条件２４１を満たしているか否かを判定する（Ｓ９１６）。電力供給装置２０が、端末状態情報１４４が電力供給条件２４１を満たしていると判定すると（Ｓ９１６：ＹＥＳ）、処理はＳ９１７に進む。一方、電力供給装置２０が、端末状態情報１４４が電力供給条件２４１を満たしていないと判定すると（Ｓ９１６：ＮＯ）、処理はＳ９１１に戻る。
【００５５】
尚、電力供給装置２０が、端末状態情報１４４が電力供給条件２４１を満たしていないと判定した場合に（Ｓ９１６：ＮＯ）、その旨を示す情報を携帯情報端末１０に送信し、これを受けて携帯情報端末１０がユーザに電力供給条件を満たすように携帯情報端末１０の設定を促すメッセージを出力装置１０５に出力するようにしてもよい。また端末状態情報１４４が電力供給条件２４１を満たしていないと判定した場合に（Ｓ９１６：ＮＯ）上記のようにＳ９１１の処理に戻るのではなく、電力供給装置２０が携帯情報端末１０から電力供給条件２４１を満たす端末状態情報１４４を受信するまで、Ｓ９１５、Ｓ９１６、及びＳ９５３の処理を繰り返し実行するようにしてもよい。またその場合は時間制限を設け、タイムアウトした場合はＳ９１１に戻るようにしてもよい。
【００５６】
Ｓ９１７では、電力供給装置２０は、携帯情報端末１０への電力供給を開始する。またＳ９１８では、電力供給装置２０は、配信情報２４２を携帯情報端末１０に送信し、携帯情報端末１０がこれを受信して配信情報１４２として記憶する。
【００５７】
図１３に配信情報１４２の一例を示す。尚、同図に示す各項目の内容は図５に示した配信情報２４２の同名の項目と同様であるので説明を省略する。
【００５８】
図９に戻り、続いて、電力供給装置２０は、携帯情報端末１０への電力供給を開始した後、携帯情報端末１０への電力供給を停止すべき条件が成立したか否かをリアルタイムに監視する（Ｓ９１９）。上記停止条件は、例えば、携帯情報端末１０の電池１０８が満充電になった（例えば、電池電圧が所定値以上になった場合）こと、携帯情報端末１０の接続が解除されたこと等である。上記停止条件が成立したと判定すると（Ｓ９１９）、電力
供給装置２０は、携帯情報端末１０への電力供給を停止する（Ｓ９２０）。その後、処理はＳ９１１に戻る。尚、電力供給の停止に際し充電料金の精算や課金に関する処理を行ってもよい。
【００５９】
以上のように、本実施例の電力供給装置２０は、携帯情報端末１０から受信した端末状態情報１４４が電力供給条件２４１を満たすか否かを判定し、端末状態情報１４４が電力供給条件２４１を満たす場合と判定した場合に携帯情報端末１０への電力供給を開始するので、携帯情報端末１０への電力供給を携帯情報端末１０の状態に応じて制御することができる。また携帯情報端末１０に対して条件付きで電力が提供されるようにすることができる。このため、例えば、携帯情報端末１０のユーザに対して、ユーザが所持する携帯情報端末１０の端末状態が電力供給条件２４１を満たすように促すことができ、携帯情報端末１０を利用するユーザに対して、携帯情報端末１０が利用される環境において求められるマナーの遵守を促すことができる。
【実施例２】
【００６０】
実施例１の電力供給システム１においては、携帯情報端末１０の端末状態の設定はユーザが行うことを想定していたが、実施例２の電力供給システム１では、携帯情報端末１０が、電力供給装置２０から受信して記憶した電力供給条件１４１を満たすように自動的に端末状態を設定する。尚、実施例２の電力供給システム１の構成は、実施例１の電力供給システム１と概ね共通であるので、以下では、実施例１と異なる点を中心として説明する。  
【００６１】
＜携帯情報端末１０＞
図１４に、実施例２の電力供給システム１における携帯情報端末１０の機能及び当該携帯情報端末１０が記憶するデータを示している。同図に示すように、実施例２の携帯情報端末１０は、実施例１の携帯情報端末１０の構成に加え、端末状態設定部１２６をさらに備える。端末状態設定部１２６は、携帯情報端末１０のプロセッサ１０１が、主記憶装置１０２に格納されているプログラムを読み出して実行することにより、もしくは、携帯情報端末１０が備えるハードウェアによって実現される。上記プログラムは、例えば、クラウドシステム等からアプリケーションプログラムとしてダウンロードされて携帯情報端末１０に提供される。
【００６２】
端末状態設定部１２６は、携帯情報端末１０の端末状態が電力供給装置２０から受信した電力供給条件１４１を満たすように、携帯情報端末１０の端末状態を自動的に設定する。
【００６３】
＜処理説明＞
続いて、図１５に示すフローチャートとともに、実施例２の電力供給システム１において行われる処理について説明する。
【００６４】
同図に示す処理のうち、Ｓ１５１１〜Ｓ１５２０の処理については図９のＳ９１１〜Ｓ９２０の処理と、Ｓ１５５１〜Ｓ１５５２については図９のＳ９５１〜Ｓ９５２の処理と、Ｓ１５５４〜Ｓ１５５６の処理については図９のＳ９５３〜Ｓ９５５の処理と同様であるので説明を省略する。
【００６５】
Ｓ１５５３では、携帯情報端末１０は、電力供給装置２０から受信して記憶した電力供給条件１４１を満たすように、自身の端末状態を自動的に設定する。尚、このとき、携帯情報端末１０に、電力供給装置２０から受信した電力供給条件１４１のうち自動的に設定可能なものとそうでないものを識別するための情報を予め記憶しておき、携帯情報端末１０が、電力供給条件１４１の各条件項目１１１１に対応する端末状態のうち設定可能なも
ののみを自動的に設定し、その他の設定についてはユーザに手動設定を促すようにしてもよい。自動設定が可能でない端末状態として、例えば、ユーザが自動設定を不許可に設定しているものや、安全面等の観点からユーザの手動設定によることが好ましいとされているもの等がある。
【００６６】
以上のように、実施例２の電力供給システム１においては、携帯情報端末１０が電力供給装置２０から受信して記憶した電力供給条件１４１を満たすように、自動的に自身の端末状態を設定するので、ユーザの設定の煩わしさを軽減することができる。また公共の場所等において要求される設定を携帯情報端末１０に対して自動的に行うことができ、マナーの遵守を徹底することができる。
【実施例３】
【００６７】
実施例３の電力供給システム１では、電力供給装置２０が、携帯情報端末１０から送られてくるユーザに関する情報（以下、ユーザ情報と称する。）に応じて、携帯情報端末１０への電力供給の方法や携帯情報端末１０に送信する配信情報の内容を決定する。尚、実施例３の電力供給システム１構成は、実施例１の電力供給システム１と概ね共通であるので、以下では、実施例１と異なる点を中心として説明する。
【００６８】
＜電力供給装置２０＞
図１６に、実施例３の電力供給システム１における電力供給装置２０の機能及び当該電力供給装置２０が記憶するデータを示している。同図に示すように、実施例３の電力供給装置２０は、実施例１の電力供給装置２０の構成に加え、ユーザ情報受信部２２９、電力供給方法決定部２３０、及び配信情報決定部２３１をさらに備える。これらの機能は、電力供給装置２０のプロセッサ２０１が、主記憶装置２０２に格納されているプログラムを読み出して実行することにより、もしくは、電力供給装置２０が備えるハードウェアによって実現される。また実施例３の電力供給装置２０は、実施例１の電力供給装置２０が記憶するデータに加えて、さらに制御情報２４４を記憶する。
【００６９】
ユーザ情報受信部２２９は、携帯情報端末１０から送られてくるユーザ情報を受信する。
【００７０】
電力供給方法決定部２３０は、携帯情報端末１０から受信したユーザ情報と制御情報２４４とを対照し、携帯情報端末１０に電力供給を行う際の方法（例えば充電電流の大きさ）を決定する。
【００７１】
配信情報決定部２３１は、携帯情報端末１０から受信したユーザ情報と制御情報２４４とを対照し、配信情報２４２のうち携帯情報端末１０に送信する配信情報を決定（選択）する。
【００７２】
図１７に制御情報２４４の一例を示す。同図に示すように、制御情報２４４は、ユーザ情報１７１１、充電電流１７１２、及び配信情報種別１７１３の３つの項目からなる一つ以上のレコードで構成されている。ユーザ情報１７１１には、ユーザ情報が設定される。本例では、ユーザ情報１７１１として「無料会員」及び「無料会員」の２つが設定されている。充電電流１７１２には、携帯情報端末１０への電力供給方法を示す情報が設定される。本例では、電力供給方法として「充電電流（３００ｍＡ）」及び「充電電流（６００ｍＡ）」が設定されている。配信情報種別１７１３には、携帯情報端末１０に送信する配信情報の種別を特定する情報（以下、配信情報種別と称する。）が設定される。本例では、配信情報種別として「店舗の広告」や「クーポン」が設定されている。
【００７３】
＜携帯情報端末１０＞
図１８に、実施例３の電力供給システム１における携帯情報端末１０の機能及び当該携帯情報端末１０が記憶するデータを示している。同図に示すように、実施例３の携帯情報端末１０は、実施例１の携帯情報端末１０の構成に加え、ユーザ情報送信部１２７をさらに備える。ユーザ情報送信部１２７は、携帯情報端末１０のプロセッサ１０１が、主記憶装置１０２に格納されているプログラムを読み出して実行することにより、もしくは、携帯情報端末１０が備えるハードウェアによって実現される。上記プログラムは、例えば、クラウドシステム等からアプリケーションプログラムとしてダウンロードされて携帯情報端末１０に提供される。また実施例３の携帯情報端末１０は、実施例１の携帯情報端末１０が記憶するデータに加えて、さらにユーザ情報１４５を記憶する。
【００７４】
ユーザ情報送信部１２７は、記憶しているユーザ情報１４５を電力供給装置２０に送信する。図１９にユーザ情報送信部１２７が送信するユーザ情報１４５の一例を示す。
【００７５】
続いて、図２０に示すフローチャートとともに、実施例３の電力供給システム１において行われる処理について説明する。
【００７６】
同図に示す処理のうち、Ｓ２０１１〜Ｓ２０１４の処理については図９のＳ９１１〜Ｓ９１４の処理と、Ｓ２０１６〜Ｓ２０１７については図９のＳ９１５〜Ｓ９１６の処理と、Ｓ２０１９〜Ｓ２０２２の処理については図９のＳ９１７〜Ｓ９２０と、Ｓ２０５１〜Ｓ２０５２の処理については図９のＳ９５１〜Ｓ９５２の処理と、Ｓ２０５４〜Ｓ２０５６の処理については図９のＳ９５３〜Ｓ９５５の処理と同様であるので説明を省略する。
【００７７】
Ｓ２０５３では、携帯情報端末１０は、記憶しているユーザ情報１４５を電力供給装置２０に送信する。Ｓ２０１５では、電力供給装置２０が、ユーザ情報１４５を受信する。
【００７８】
Ｓ２０１８では、電力供給装置２０は、受信したユーザ情報１４５を制御情報２４４と対照し、充電電流１７１２と配信情報種別１７１３を取得する。
【００７９】
Ｓ２０１９では、電力供給装置２０は、Ｓ２０１８で取得した充電電流１７１２での携帯情報端末１０への電力供給を開始する。
【００８０】
Ｓ２０２０では、電力供給装置２０は、Ｓ２０１８で取得した配信情報種別１７１３に対応する配信情報を配信情報２４２から取得し、取得した配信情報を携帯情報端末１０に送信する。
【００８１】
以上のように、実施例３の電力供給システム１においては、携帯情報端末１０から送られてくるユーザ情報１４５に応じて、電力供給装置２０から携帯情報端末１０への電力供給の方法や携帯情報端末１０に送信する配信情報を変更することができる。このため、例えば、電力供給装置２０が設置されている環境やユーザのニーズ等に応じて、多様な運用形態やサービスを展開することができる。
【００８２】
以上、本発明者によってなされた発明を実施の形態に基づき具体的に説明したが、本発明は上記の実施の形態に限定されるものではなく、その要旨を逸脱しない範囲で種々変更可能であることはいうまでもない。例えば、上記の実施の形態は本発明を分かりやすく説明するために詳細に説明したものであり、必ずしも説明した全ての構成を備えるものに限定されるものではない。また、上記実施形態の構成の一部について、他の構成の追加・削除・置換をすることが可能である。
【００８３】
また、上記の各構成、機能、処理部、処理手段等は、それらの一部または全部を、例え
ば、集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリやハードディスク、ＳＳＤ（Solid State Drive）等の記録装置、ま
たはＩＣカード、ＳＤカード、ＤＶＤ等の記録媒体に置くことができる。
【００８４】
また、上記の各図において、制御線や情報線は説明上必要と考えられるものを示しており、必ずしも実装上の全ての制御線や情報線を示しているとは限らない。実際にはほとんど全ての構成が相互に接続されていると考えてもよい。
【符号の説明】
【００８５】
１  電力供給システム、１０  携帯情報端末、１２１  認証情報送信部、１２２  電力供給条件受信部、１２３  端末状態情報送信部、１２４  充電制御部、１２５  配信情報受信部、１２６  端末状態設定部、１２７  ユーザ情報送信部、１４１  電力供給条件、１４２  配信情報、１４３  認証情報、１４４  ユーザ情報、２０  電力供給装置、２２１
電力供給条件記憶部、２２２  配信情報記憶部、２２３  認証処理部、２２４  電力供給条件送信部、２２５  端末状態情報受信部、２２６  電力供給可否判定部、２２７  電力供給制御部、２２８  配信情報送信部、２２９  ユーザ情報受信部、２３０  電力供給方法決定部、２３１  配信情報決定部、２４１  電力供給条件、２４２  配信情報、２４３  認証情報、２４４  制御情報、５１  通信手段、５２  電力供給手段
【図１】
2017028852.tif 000003
【図２】
2017028852.tif 000004
【図３】
2017028852.tif 000005
【図４】
2017028852.tif 000006
【図５】
2017028852.tif 000007
【図６】
2017028852.tif 000008
【図７】
2017028852.tif 000009
【図８】
2017028852.tif 000010
【図９】
2017028852.tif 000011
【図１０】
2017028852.tif 000012
【図１１】
2017028852.tif 000013
【図１２】
2017028852.tif 000014
【図１３】
2017028852.tif 000015
【図１４】
2017028852.tif 000016
【図１５】
2017028852.tif 000017
【図１６】
2017028852.tif 000018
【図１７】
2017028852.tif 000019
【図１８】
2017028852.tif 000020
【図１９】
2017028852.tif 000021
【図２０】
2017028852.tif 000022